(57)【特許請求の範囲】
【請求項１】
アンテナ（１０）と、
前記アンテナ（１０）からの受信高周波信号（ＲＸ，ＲＦ）を受ける受信回路（１４）とを備え、
前記受信回路（１４）は、
局部発振器（２２）と、
前記受信高周波信号（ＲＦ）を前記局部発振器（２２）からの局部発振信号（ＬＯ）と混合して第１のベースバンド信号（ＢＢＩ）を生成する第１の偶高調波ミクサ（３６）と、
前記第１の偶高調波ミクサ（３６）からの第１のベースバンド信号（ＢＢＩ）を受け、第１のカットオフ周波数（ｆｃ１）を有する第１のハイパスフィルタ（５６）と、
前記第１のハイパスフィルタ（５６）を透過した第１のベースバンド信号（ＢＢＩ）を増幅して一定の出力レベルを得る第１の可変利得増幅器（６０）と、
前記第１の可変利得増幅器（６０）からの第１のベースバンド信号（ＢＢＩ）を受け、前記第１のカットオフ周波数（ｆｃ１）よりも高い第２のカットオフ周波数（ｆｃ２）を有する第２のハイパスフィルタ（６４）とを含む、無線端末装置。
【請求項２】
前記受信回路（１４）はさらに、
前記アンテナ（１０）からの受信高周波信号（ＲＦ）に応答して互いに９０°位相の異なる第１および第２の受信高周波信号（ＲＦＩ，ＲＦＱ）を生成し、前記第１の受信高周波信号（ＲＦＩ）を前記第１の偶高調波ミクサ（３６）に与える移相器（３４）と、
前記受信高周波信号（ＲＦ）を前記局部発振器（２２）からの局部発振信号（ＬＯ）と混合して前記第１のベースバンド信号（ＢＢＩ）と９０°位相の異なる第２のベースバンド信号（ＢＢＱ）を生成する第２の偶高調波ミクサ（３８）と、
前記第２の偶高調波ミクサ（３８）からの第２のベースバンド信号（ＢＢＱ）を受け、前記第１のカットオフ周波数（ｆｃ１）を有する第３のハイパスフィルタ（５８）と、
前記第３のハイパスフィルタ（５８）を透過した第２のベースバンド信号（ＢＢＱ）を増幅して一定の出力レベルを得る第２の可変利得増幅器（６２）と、
前記第２の可変利得増幅器（６２）からの第２のベースバンド信号（ＢＢＱ）を受け、前記第２のカットオフ周波数（ｆｃ２）を有する第４のハイパスフィルタ（６６）とを含む、請求項１に記載の無線端末装置。
【請求項３】
前記無線端末装置はさらに、
前記受信高周波信号（ＲＦ）の周波数と異なる周波数を有する送信高周波信号（ＴＸ）を生成する送信回路（１２）と、
前記送信回路（１２）からの送信高周波信号（ＴＸ）を前記アンテナ（１０）に伝達すると同時に、前記アンテナ（１０）からの受信高周波信号（ＲＸ，ＲＦ）を前記受信回路（１４）に伝達する送受分波器（１６）とを備える、請求項１に記載の無線端末装置。
【請求項４】
前記受信回路（１４）はさらに、
前記受信高周波信号（ＲＦ）を増幅して前記第１の偶高調波ミクサ（３６）に与える低雑音増幅器（１８）を含む、請求項１に記載の無線端末装置。
【請求項５】
前記受信回路（１４）はさらに、
前記第１の偶高調波ミクサ（３６）からの第１のベースバンド信号（ＢＢＩ）を受け、前記第１のハイパスフィルタ（５６）に与えるローパスフィルタ（２６，５２）を含む、請求項１に記載の無線端末装置。
【請求項６】
前記受信回路（１４）はさらに、
前記第１の偶高調波ミクサ（３６）からの第１のベースバンド信号（ＢＢＩ）を増幅して前記第１のハイパスフィルタ（５６）に与える増幅器（４８）を含む、請求項１に記載の無線端末装置。
【請求項７】
アンテナ（１０）と、
局部発振器（２２）と、
前記アンテナ（１０）からの受信高周波信号（ＲＦ）を前記局部発振器（２２）からの局部発振信号（ＬＯ）と混合してＩチャネルベースバンド信号（ＢＢＩ）とＱチャネルベースバンド信号（ＢＢＱ）とを生成する偶高調波直交ミクサ（２４）と、
前記偶高調波直交ミクサ（２４）からのＩチャネルベースバンド信号（ＢＢＩ）を受け、第１のカットオフ周波数（ｆｃ１）を有する第１のハイパスフィルタ（５６）と、
前記第１のハイパスフィルタ（５６）を透過したＩチャネルベースバンド信号（ＢＢＩ）を増幅して一定の出力レベルを得る第１の可変利得増幅器（６０）と、
前記第１の可変利得増幅器（６０）からのＩチャネルベースバンド信号（ＢＢＩ）を受け、前記第１のカットオフ周波数（ｆｃ１）よりも高い第２のカットオフ周波数（ｆｃ２）を有する第２のハイパスフィルタ（６４）と、
前記偶高調波直交ミクサ（２４）からのＱチャネルベースバンド信号（ＢＢＱ）を受け、前記第１のカットオフ周波数（ｆｃ１）を有する第３のハイパスフィルタ（５８）と、
前記第３のハイパスフィルタ（５８）を透過したＱチャネルベースバンド信号（ＢＢＱ）を増幅して一定の出力レベルを得る第２の可変利得増幅器（６２）と、
前記第２の可変利得増幅器（６２）からのＱチャネルベースバンド信号（ＢＢＱ）を受け、前記第２のカットオフ周波数（ｆｃ２）を有する第４のハイパスフィルタ（６６）とを備える、無線端末装置。
【発明の詳細な説明】
技術分野
この発明は無線端末装置に関し、さらに詳しくは、偶高調波ミクサを用いたダイレクトコンバージョン受信回路を備えた無線端末装置に関する。
背景技術
現在、携帯電話機のような無線端末装置においては、主としてヘテロダイン方式の受信回路が用いられている。ヘテロダイン方式は中間周波回路を必要とするが、局部発振周波数が受信周波数と異なるので、局部発振信号がアンテナ側に漏洩して感度が劣化することがない。
これに対し、ダイレクトコンバージョン（ホモダイン）方式は中間周波回路を必要としないが、局部発振周波数が受信周波数と同じであるので、局部発振信号がアンテナ側に漏洩して感度が劣化するという問題がある。
ヘテロダイン方式では中間周波回路における中間周波信号が低周波のベースバンド信号に変換されてベースバンド回路に与えられるが、このベースバンド回路に与えられるベースバンド信号のレベルは中間周波回路中の可変利得増幅器により一定にされている。そのため、ベースバンド回路内ではベースバンド信号のレベルはほとんど変動することはない。
これに対し、ダイレクトコンバージョン方式では中間周波回路がなく、受信高周波信号はダイレクトに低周波のベースバンド信号に変換されるため、受信高周波信号のレベルが変動すると、ベースバンド回路に与えられるベースバンド信号のレベルも変動してしまう。
一般に、入力信号が回路素子に与えられると、出力信号には所望の信号成分のほかに不要な直流オフセット成分が含まれている。上述したヘテロダイン方式の場合、ベースバンド回路に与えられるベースバンド信号のレベルが一定であるから、出力信号に含まれる直流オフセット成分も一定である。そのため、このような一定の直流オフセット成分を考慮してベースバンド回路を設計すればよい。
しかしながら、ダイレクトコンバージョン方式ではベースバンド回路に与えられるベースバンド信号のレベルが変動するため、ベースバンド回路中の回路素子の出力信号に含まれる直流オフセット成分も一定でなく、比較的大きく変動する。この変動を考慮してベースバンド回路を設計することは非常に困難である。また、ベースバンド回路に与えられるベースバンド信号に直流オフセット成分が含まれていると、ベースバンド回路の動作が飽和してしまうおそれがある。
このようなダイレクトコンバージョン方式における直流オフセット成分の影響を防止するため、これまでに種々の方法が提案されている（特開平１０−２３３７１１号公報、特開平１０−１３４８２号公報、特開平９−８３５９５号公報、特開平１０−５６３９４号公報参照）。しかしながら、これらの方法は後述する本発明の方法と原理的に全く異なっている。
また、ベースバンド信号は直流（周波数が０Ｈｚの交流と考えられる）に近い低周波であるため、単純に直流オフセット成分を除去しようとするとベースバンド信号の信号成分も除去してしまうことになる。カットオフ周波数を可能な限り０Ｈｚに近づければ信号成分はほとんど除去されなくなるのが、過渡応答が遅くなり、その結果、ベースバンド回路の動作特性が劣化することになる。
発明の開示
この発明の目的は、過渡応答を遅くすることなく直流オフセット成分のみを除去することが可能な無線端末装置を提供することである。
この発明に従うと、無線端末装置は、アンテナと、アンテナからの受信高周波信号を受ける受信回路とを備える。受信回路は、局部発振器と、偶高調波ミクサと、第１のハイパスフィルタと、可変利得増幅器と、第２のハイパスフィルタとを含む。偶高調波ミクサは、受信高周波信号を局部発振器からの局部発振信号と混合してベースバンド信号を生成する。第１のハイパスフィルタは、偶高調波ミクサからのベースバンド信号を受け、第１のカットオフ周波数を有する。可変利得増幅器は、第１のハイパスフィルタを透過したベースバンド信号を増幅して一定の出力レベルを得る。第２のハイパスフィルタは、可変利得増幅器からのベースバンド信号を受け、第１のカットオフ周波数よりも高い第２のカットオフ周波数を有する。
上記無線端末装置においては、偶高調波ミクサで生じた直流オフセット成分は第１のハイパスフィルタにより除去される。第１のハイパスフィルタは第２のハイパスフィルタよりも低いカットオフ周波数を有しているため、信号成分をほとんど除去することなく直流オフセット成分のみを確実に除去することができる。第１のハイパスフィルタはカットオフ周波数が低いので過渡応答が遅くなるが、偶高調波ミクサで生じる直流オフセット成分のレベルは受信高周波信号のレベルが変動しても一定であるため、回路動作が遅くなることはない。一方、可変利得増幅器で生じた直流オフセット成分は第２のハイパスフィルタにより除去される。可変利得増幅器で生じる直流オフセット成分のレベルは変動するが、第２のハイパスフィルタは第１のハイパスフィルタよりも高いオフセット周波数を有しているため、速い過渡応答でその直流オフセット成分を確実に除去することができる。
発明を実施するための最良の形態
以下、この発明の実施の形態による携帯電話機を図面を参照して詳しく説明する。なお、図中同一または相当部分には同一符号を付してその説明は繰返さない。
図１を参照して、無線端末装置の１つである携帯電話機は、アンテナ１０と、送信回路１２と、受信回路１４と、送受分波器１６とを備える。
この携帯電話機はＣＤＭＡ（Ｃｏｄｅ  Ｄｉｖｉｓｉｏｎ  Ｍｕｌｔｉｐｌｅ  Ａｃｃｅｓｓ）方式を採用しており、送信と受信を１本のアンテナ１０を介して同時に行なう。したがって、送信周波数は受信周波数と異なるように設定されるが、ここでは送信周波数の方が受信周波数よりも低く設定される。そのため、送受分波器１６は、送信波ＴＸのみを透過するバンドパスフィルタと、受信波ＲＸのみを透過するバンドパスフィルタとから構成され、送信波ＴＸを受信回路１４側にほとんど透過しない。
図２を参照して、受信回路１４は、低雑音増幅器（ＬＮＡ）１８と、バンドパスフィルタ（ＢＰＦ）２０と、局部発振器２２と、偶高調波直交ミクサ２４と、受動型ローパスフィルタ（ＬＰＦ）２６，２８と、ベースバンド回路３０とを備える。
低雑音増幅器１８は、送受分波器１６を透過した受信波ＲＸ（以下「受信高周波信号ＲＦ」という）を高ＳＮ比で増幅する。バンドパスフィルタ２０は、不要な信号を除去して必要な受信高周波信号ＲＦのみを透過する。局部発振器２２は、局部発振信号ＬＯを発振する。この局部発振信号ＬＯの周波数ｆｌｏは受信高周波信号ＲＦの周波数ｆｒｆの２分の１である。偶高調波直交ミクサ２４は、バンドパスフィルタ２０を透過した受信高周波信号ＲＦを局部発振器２２からの局部発振信号ＬＯと混合することにより受信高周波数からベースバンド周波数に変換してＩチャネルベースバンド信号ＢＢＩおよびＱチャネルベースバンド信号ＢＢＱを生成する。Ｑチャネルベースバンド信号ＢＢＱは、Ｉチャネルベースバンド信号ＢＢＩと９０°位相が異なる。
ローパスフィルタ２６は、偶高調波直交ミクサ２４からのＩチャネルベースバンド信号ＢＢＩを受け、次隣接チャネル以上の妨害波を抑圧して所望のチャネルおよびその隣接チャネルのみを透過する。ローパスフィルタ２８は、偶高調波直交ミクサ２４からのＱチャネルベースバンド信号ＢＢＱを受け、次隣接チャネル以上の妨害波を抑圧して所望のチャネルおよびその隣接チャネルのみを透過する。ローパスフィルタ２６および２８のカットオフ周波数は同じに設定される。
偶高調波直交ミクサ２４は、同相（０°）分配器３２と、９０°分配器３４と、偶高調波ミクサ３６および３８とを含む。同相分配器３２は、局部発振器２２からの局部発振信号ＬＯを偶高調波ミクサ３６および３８に分配する。偶高調波ミクサ３６および３８に与えられる局部発振信号ＬＯの位相は同じである。
９０°分配器３４は、バンドパスフィルタ２０を透過した受信高周波信号ＲＦに基づいて互いに９０°位相の異なるＩチャネル高周波信号ＲＦＩおよびＱチャネル高周波信号ＲＦＱとを生成する。偶高調波ミクサ３４は、９０°分配器３４からのＩチャネル高周波信号ＲＦＩを同相分配器３２からの局部発振信号ＬＯを混合することにより高周波数をベースバンド周波数に変換してＩチャネルベースバンド信号ＢＢＩを生成する。偶高調波ミクサ３８は、９０°分配器３４からのＱチャネル高周波信号ＲＦＱを同相分配器３２からの局部発振信号ＬＯと混合することにより高周波数をベースバンド周波数に変換してＱチャネルベースバンド信号ＢＢＱを生成する。
なお、同相分配器３２に代えて４５°分配器を設け、かつ９０°分配器３４に代えて同相（０°）分配器を設けることもできる。すなわち、ａ分配器（３２）およびｂ分配器（３４）を設けた場合、｜２×ａ−ｂ｜＝９０°であればよい。
図３を参照して、偶高調波ミクサ３６は、先端開放スタブ３６１と、アンチパラレルダイオードペア３６２と、先端短絡スタブ３６３とを含む。同様に、偶高調波ミクサ３８は、先端開放スタブ３８１と、アンチパラレルダイオードペア３８２と、先端短絡スタブ３８３とを含む。スタブ３６１，３６３，３８１，３８３の長さＬは局部発振信号ＬＯの波長のほぼ４分の１、つまり受信高周波信号ＲＦの波長のほぼ２分の１に設定される。
受信高周波信号ＲＦは、直流成分をカットするためのキャパシタ４０を介して９０°分配器３４に与えられる。局部発振信号ＬＯは、直流成分をカットするためのキャパシタ４２を介して同相分配器３２に与えられる。偶高調波ミクサ３６で生成されたＩチャネルベースバンド信号ＢＢＩは、高周波（ＲＦ）成分をカットするためのチョークコイル４４を介して出力される。偶高調波ミクサ３８で生成されたＱチャネルベースバンド信号ＢＢＱは、高周波（ＲＦ）成分をカットするためのチョークコイル４６を介して出力される。
ここで、偶高調波ミクサの動作を簡単に説明する。入力される高周波信号ＲＦの周波数をｆｒｆ、入力される局部発振信号ＬＯの周波数をｆｌｏとすると、出力されるベースバンド信号の周波数ｆｂｂは次式で表わされる。
ｆｂｂ＝ｍｆｒｆ±ｎｆｌｏ
ここで、ｍおよびｎは整数である。
偶高調波ミクサでは、ｍ＋ｎが偶数の場合は周波数変換効率が低く、ｍ＋ｎが奇数の場合は周波数変換効率が高い。これは、偶数時の混合波電流がアンチパラレルダイオードペア３６２，３８２を流れるループ電流となり、外部に出力されないからである。
より具体的には、ｍ＝１、ｎ＝２の場合、ベースバンド信号の周波数ｆｂｂは次式で表わされる。
ｆｂｂ＝ｆｒｆ−２・ｆｌｏ
上述したようにｆｌｏ＝ｆｒｆ／２であるから、このとき高い変換効率で低周波（ｆｂｂ＝０）のベースバンド信号が得られる。
したがって、アンテナ１０で受信した高周波は中間周波を介することなくダイレクトに低周波に変換される。しかも、局部発振周波数ｆｌｏは受信周波数ｆｒｆの２分の１であるから、局部発振信号がアンテナ１０側に漏洩して感度が劣化することはない。
なお、図３に示された偶高調波直交ミクサ２４は、米国特許第５，７８７，１２６号（特開平８−２４２２６１号公報）の図４０に示されているものであるから、より詳細な説明はこれを引用により援用する。
図４を参照して、ベースバンド回路３０は、増幅器（ＡＭＰ）４８，５０と、能動型ローパスフィルタ（ＬＰＦ）５２，５４と、前段ハイパスフィルタ（ＨＰＦ）５６，５８と、可変利得増幅器（ＶＧＡ）６０，６２と、後段ハイパスフィルタ（ＨＰＦ）６４，６６と、ＡＤ変換器６８，７０と、復調器７２とを含む。
増幅器４８は、ローパスフィルタ２６からのＩチャネルベースバンド信号ＢＢＩを高ＳＮ比で増幅してローパスフィルタ５２に与える。増幅器５０は、ローパスフィルタ２８からのＱチャネルベースバンド信号ＢＢＱを高ＳＮ比で増幅してローパスフィルタ５４に与える。
ローパスフィルタ５２は、増幅器４８からのＩチャネルベースバンドＢＢＩを受け、隣接チャネル以上の妨害波を除去して所望のチャネルのみを透過する。ローパスフィルタ５４は、増幅器５０からのＱチャネルベースバンド信号ＢＢＱを受け、隣接チャネル以上の妨害波を除去して所望のチャネルのみを透過する。
ハイパスフィルタ５６は、ローパスフィルタ５２からのＩチャネルベースバンド信号ＢＢＩを受け、Ｉチャネルベースバンド信号ＢＢＩに含まれる直流オフセット成分を除去する。ハイパスフィルタ５８は、ローパスフィルタ５４からのＱチャネルベースバンド信号ＢＢＱを受け、Ｑチャネルベースバンド信号ＢＢＱに含まれる直流オフセット成分を除去する。ハイパスフィルタ５６のカットオフ周波数ｆｃ１とハイパスフィルタ５８のカットオフ周波数ｆｃ１はほぼ同じに設定される。
可変利得増幅器６０は、ハイパスフィルタ５６を透過したＩチャネルベースバンド信号を増幅して一定の出力レベルを得る。すなわち、可変利得増幅器６０は、ＡＤ変換器６８からの出力レベルが常に一定になるようにハイパスフィルタ５６からのＩチャネルベースバンド信号ＢＢＩを適切な利得で増幅する。可変利得増幅器６２は、ハイパスフィルタ５８を透過したＱチャネルベースバンド信号ＢＢＱを増幅して一定の出力レベルを得る。すなわち、可変利得増幅器６２は、ＡＤ変換器７０からの出力レベルが常に一定になるようにハイパスフィルタ５８からのＱチャネルベースバンド信号ＢＢＱを適切な利得で増幅する。
後段ハイパスフィルタ６４は、可変利得増幅器６０からのＩチャネルベースバンド信号ＢＢＩを受け、Ｉチャネルベースバンド信号ＢＢＩに含まれる直流オフセット成分を除去する。後段ハイパスフィルタ６６は、可変利得増幅器６２からのＱチャネルベースバンド信号ＢＢＱを受け、Ｑチャネルベースバンド信号ＢＢＱに含まれる直流オフセット成分を除去する。ハイパスフィルタ６４のカットオフ周波数ｆｃ２とハイパスフィルタ６６のカットオフ周波数ｆｃ２とはほぼ同じに設定される。ただし、後段ハイパスフィルタ６４，６６のカットオフ周波数ｆｃ２は前段ハイパスフィルタ５６，５８のカットオフ周波数ｆｃ１よりも高く設定される。カットオフ周波数ｆｃ１およびｆｃ２にこのような関係を持たせる理由については後に詳述する。
ＡＤ変換器６８は、ハイパスフィルタ６４を透過したＩチャネルベースバンド信号ＢＢＩをＡＤ変換して復調器７２に与える。ＡＤ変換器７０は、ハイパスフィルタ６６を透過したＱチャネルベースバンド信号ＢＢＱをＡＤ変換して復調器７２に与える。復調器７２は、ＡＤ変換器６８からのＩチャネルベースバンド信号およびＡＤ変換器７０からのＱチャネルベースバンド信号ＢＢＱを復調して低周波（音声）信号を得る。
次に、上記のように構成された携帯電話機の動作について説明する。
アンテナ１０で得られた受信高周波信号ＲＦは低雑音増幅器１８により増幅された後、バンドパスフィルタ２０を介して偶高調波直交ミクサ２４に与えられる。偶高調波直交ミクサ２４では受信高周波信号ＲＦからベースバンド信号ＢＢＩ，ＢＢＱに周波数変換が行なわれる。より具体的には、偶高調波直交ミクサ２４に与えられた受信高周波信号ＲＦは９０°の位相差を付けて偶高調波ミクサ３６および３８に分配される。９０°分配器３４からのＩチャネル高周波信号ＲＦＩは偶高調波ミクサ３６により低周波のＩチャネルベースバンド信号ＢＢＩにダイレクトに変換される。一方、９０°分配器３４からのＱチャネル高周波信号ＲＦＱは偶高調波ミクサ３８により低周波のＱチャネルベースバンド信号ＢＢＱにダイレクトに変換される。ここで、局部発振周波数ｆｌｏは受信高周波信号ＲＦの周波数ｆｒｆの２分の１であるため、局部発振信号ＬＯがアンテナ１０に漏洩しても、偶高調波ミクサ３６，３８は２次（偶数次）の周波数変換をほとんど行なわず、その結果、漏洩した不要な信号がベースバンド回路３０まで到達することはない。このように局部発振信号ＬＯの漏洩により感度が劣化することはない。
偶高調波直交ミクサ２４で生成されたＩチャネルベースバンド信号ＢＢＩおよびＱチャネルベースバンド信号ＢＢＱはそれぞれ受動型ローパスフィルタ２６および２８を介してベースバンド回路３０に与えられる。これらローパスフィルタ２６，２８によりベースバンド信号ＢＢＩ，ＢＢＱに含まれる次隣接チャネル以上の妨害波が除去される。
ベースバンド回路３０に与えられたＩチャネルベースバンド信号ＢＢＩは増幅器４８により増幅され、能動型ローパスフィルタ５２および前段ハイパスフィルタ５６を介して可変利得増幅器６０に与えられる。この与えられたＩチャネルベースバンド信号ＢＢＩは可変利得増幅器６０により適宜増幅され、後段ハイパスフィルタ６４を介してＡＤ変換器６８に与えられる。この与えられたＩチャネルベースバンド信号ＢＢＩはＡＤ変換器６８によりＡＤ変換された後、復調器７２に与えられる。一方、ベースバンド回路３０に与えられたＱチャネルベースバンド信号ＢＢＱは増幅器５０により増幅され、能動型ローパスフィルタ５４および前段ハイパスフィルタ５８を介して可変利得増幅器６２に与えられる。この与えられたＱチャネルベースバンド信号ＢＢＱは可変利得増幅器６２により適宜増幅され、後段ハイパスフィルタ６６を介してＡＤ変換器７０に与えられる。この与えられたＱチャネルベースバンド信号ＢＢＱはＡＤ変換器７０によりＡＤ変換された後、復調器７２に与えられる。これらＡＤ変換されたベースバンド信号は復調器７２により低周波（音声）信号に復調される。
上述した能動型ローパスフィルタ５２，５４では、受動型ローパスフィルタ２６，２８を透過した隣接チャネルの妨害波が除去され、所望のチャネルのみがハイパスフィルタ５６，５８に与えられる。
また、前段ハイパスフィルタ５６，５８では主として偶高調波直交ミクサ２４で生じた直流オフセット成分が除去され、後段ハイパスフィルタ６４，６６では主として可変利得増幅器６０，６２で生じた直流オフセット成分が除去される。
前段ハイパスフィルタ５６，５８および後段ハイパスフィルタ６４，６６はいずれも直流オフセット成分のみを除去することを目的とするものであるから、図５に示されるようにベースバンド信号成分を除去してしまわないようオフセット周波数ｆｃ１，ｆｃ２は可能な限り低く設定するのが望ましい。しかしながら、ハイパスフィルタ５６，５６，６４，６６のオフセット周波数を低くするほど過渡応答が遅くなるため、直流オフセット成分を速やかに除去することができなくなる。したがって、カットオフ周波数ｆｃ１，ｆｃ２はこのような相反する要求を満足するよう設定されなければならない。ここでは、上述したように前段ハイパスフィルタフィルタ５６，５８のカットオフ周波数ｆｃ１の方が後段ハイパスフィルタ６４，６６のカットオフ周波数ｆｃ２よりも低く設定されている。以下、その理由について詳述する。
前段ハイパスフィルタ５６，５８は偶高調波直交ミクサ２４で生じた直流オフセット電圧を除去するためのものであるが、この直流オフセット電圧はミクサ２４が飽和しない限りベースバンド信号に関係なく常に一定である。これは、局部発振器２２から与えられた局部発振信号ＬＯとアンテナ１０に漏洩した局部発振信号ＬＯの積が直流オフセット電圧となるからである。偶高調波直交ミクサ２４で生じる直流オフセット電圧が一定になることの確認実験を行なったので、以下にその実験結果を示す。
図３に示された偶高調波直交ミクサ２４において、キャパシタ４０，４２の容量を１０ｐＦとし、チョークコイル４４，４６のインダクタンスを０．１μＨとし、アンチパラレルダイオードペア３６２，３８２にはジーメンス社のＢＡＴ１４−０９９を用いた。このような偶高調波直交ミクサ２４に２１４０．０５０ＭＨｚの高周波信号ＲＦを−１００〜−２０ｄＢｍの強度で与え、かつ１０７０．０００ＭＨｚ（≒ｆｒｆ／２）の局部発振信号ＬＯを３ｄＢｍの一定の強度で与えると、次の表に示されるようにほぼ一定の直流オフセット電圧が得られた。
0003856647.tif 000002
一方、後段ハイパスフィルタ６４，６６は可変利得増幅器６０，６２で生じた直流オフセット電圧を除去することを目的とするが、可変利得増幅器６０，６２では利得が頻繁に変動するため、ここで生じる直流オフセット電圧もまた頻繁に変動する。
以上のように偶高調波直交ミクサ２４で生じる直流オフセット電圧は常に一定であるから、前段ハイパスフィルタ５６，５８には速い過渡応答は要求されない。したがって、可能な限りベースバンド信号成分を除去することなく直流オフセット成分のみを除去するよう前段ハイパスフィルタ５６，５８のオフセット周波数ｆｃ１は低く設定されるのが望ましい。一方、可変利得増幅器６０，６２で生じる直流オフセット電圧は頻繁に変動するから、後段ハイパスフィルタ６４，６６には速い過渡応答が要求される。そのため、後段ハイパスフィルタ６４，６６のカットオフ周波数ｆｃ２は、前段ハイパスフィルタ５６，５８のカットオフ周波数ｆｃ１よりも高く設定される。
以上のようにこの実施の形態によれば、受信回路１４がダイレクトコンバージョン方式を採用しているため、中間周波回路を必要とせず、小型の携帯電話機を提供することができる。
また、このようなダイレクトコンバージョン方式の受信回路１４であっても偶高調波直交ミクサ２４を用いているため、局部発振信号ＬＯがアンテナ１０に漏洩して感度が劣化することはない。
また、ベースバンド回路３０において、前段ハイパスフィルタ５６，５８のカットオフ周波数ｆｃ１よりも後段ハイパスフィルタ６４，６６のカットオフ周波数ｆｃ２の方を高く設定しているため、偶高調波直交ミクサ２４および可変利得増幅器６０，６２で生じた直流オフセット成分を速やかに除去し、しかもベースバンドの信号成分をほとんど除去することはない。その結果、回路動作が飽和することがないので、正確な低周波（音声）信号を得ることができる。また、受信感度の劣化を防止することができる。
上述した偶高調波直交ミクサ２４では９０°分配器３４が用いられているが、これに代えて、バンドパスフィルタ２０を透過した受信高周波信号ＲＦをダイレクトに偶高調波ミクサ３６に与えるとともに、受信高周波信号ＲＦをその位相を９０°シフトさせて偶高調波ミクサ３８に与える移相器を設けることも可能である。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
産業上の利用可能性
この発明による無線端末装置は、携帯電話のような移動通信端末に利用することができる。
【図面の簡単な説明】
図１は、この発明の実施の形態による携帯電話機の全体構成を示すブロック図である。
図２は、図１に示された受信回路の具体的な構成を示すブロック図である。
図３は、図２に示された偶高調波直交ミクサの具体的な構成を示すブロック図である。
図４は、図２に示されたベースバンド回路の具体的な構成を示すブロック図である。
図５は、図４に示されたハイパスフィルタの周波数特性を示す図である。
【図１】
0003856647.tif 000003
【図２】
0003856647.tif 000004
【図３】
0003856647.tif 000005
【図４】
0003856647.tif 000006
【図５】
0003856647.tif 000007